(57)【特許請求の範囲】
【請求項１】
一端部が開放端部となっている第１表示部を有する第１筐体と、
一端部が開放端部となっている第２表示部および当該第２表示部を表示面と平行にスライドさせるスライド部を有する第２筐体と、
閉じた状態で前記第１表示部と前記第２表示部とが対向するように前記第１筐体と前記第２筐体とを折り畳み可能に接続するヒンジ部と、
前記第１筐体と前記第２筐体の折り畳みの開閉に伴って、前記第２表示部をスライドさせて、かつ、前記第１筐体と前記第２筐体との折り畳みを開いていく際に、前記第１表示部の一端部と前記第２表示部の一端部とが当接するまで前記第２表示部をスライドさせる自動スライド手段とを備え、
前記自動スライド手段は、折畳の開閉に伴う前記ヒンジ部における回転を取り出す第１歯車群と、当該第１歯車群と噛合し前記第１歯車群より伝達された回転を前記スライド部の平行移動に転換する第２歯車群とを有し、
前記第１歯車群の第１歯車は、歯先が並ぶ有歯部と、有歯部の歯底円以下の直径からなり歯先がない無歯部とを備え、前記ヒンジ部と同軸上に、前記有歯部が外側に向くように前記第１筐体と一体に設けられていて、
前記第１歯車群の第２歯車は、前記第１歯車の有歯部と噛み合うように、前記第２筐体に回転自在に保持されていて、折り畳みの展開途中から展開が終了するまで第１歯車との噛み合いが成立するように構成されていることを特徴とする携帯型情報端末装置。
【発明の詳細な説明】
【０００１】
【発明の属する技術分野】
本発明は、折畳可能な表示部を備えた携帯型情報端末装置に関する。
【０００２】
【従来の技術】
多機能携帯電話機、ＰＤＡ（Personal Digital Assistant）、サブノートパソコン、携帯型ゲーム装置などのユーザに携行されることが多い携帯型情報端末装置は、持ち運びの便を考慮し機器の小型化が図られるために、表示部の大きさは限られたものにならざるを得ない。しかしその一方で、携帯型情報端末装置の多機能化や高機能化に伴って、より大きく見やすい表示画面への要望が高く、従来より様々な表示部の搭載技術が提案されている。
【０００３】
その一つとしては、例えば、特開２００２−１６６８５号公報に示される技術がある。同公報によれば、それぞれに表示部（例えば、ＬＣＤ（Liquid Crystal Display）パネル）を備えた複数の筐体を、折畳式のヒンジで結合する構成としている。使用時には表示部の折畳を開いて複数の表示画面を利用し、携行時には表示部の折畳を閉じて機器を小型化させる。また更には、ヒンジ部分にも表示部を備えて折畳を閉じた状態でも何らかの情報表示が可能な構成としている。これらの構成によって、装置の小型化を維持しつつも、より多くの表示画面を確保している。
【０００４】
【発明が解決しようとする課題】
前記公報によれば、表示画面の総面積或いは画面の総数を増やすことはできる。しかし、表示部側面の全外周が筐体にカバーされており、表示画面と表示画面との間には、筐体によるカバー部分即ち筐体のフレームや、筐体同士を接続させるヒンジが常に存在することになる。
【０００５】
そのため、元サイズの大きな画像（例えば、画像データやメニュー画面など）を表示する場合では、複数の表示画面で大きな一つの画像を表示させようとすると、フレームやヒンジが視覚的な境となり画像の一体性を損なってしまう問題が有った。また、何れか一つの表示画面に画像を表示させようとすると、画面数が増えたものの一つ一つの表示画面の大きさは変っていないので、画像サイズを縮小表示するか画面をスクロールさせて表示する必要があり、本来画像が持っている情報を十分に表示しきれない問題（例えば、画像が縮小されて細部が識別し難くなるなど）や、利便性を欠いてしまう問題があった。
【０００６】
本発明は上記課題を鑑みてなされたものであり、その目的は装置の小型化を維持しつつも、より一体感があって表示サイズの大きな画面として利用可能な表示部を有する携帯型情報端末装置を提供することである。
【０００７】
【発明を解決するための手段】
上記課題を解決するために、請求項１に記載の発明は、携帯型情報端末装置であって、一端部（例えば、図２の側端面Ａ）が開放端部となっている第１表示部（例えば、図２の第１ＬＣＤパネル１１５０）を有する第１筐体（例えば、図２の第１筐体１１００）と、一端部（例えば、図２の側端面Ｂ）が開放端部となっている第２表示部（例えば、図２の第２ＬＣＤパネル１２５０）および当該第２表示部を表示面と平行にスライドさせるスライド部（例えば、図４のスライドガイド部１２５６）を有する第２筐体（例えば、図２の第２筐体１２００）と、閉じた状態で前記第１表示部と前記第２表示部とが対向するように前記第１筐体と前記第２筐体とを折り畳み可能に接続するヒンジ部（例えば、図２のヒンジ部１３００）と、前記第１筐体と前記第２筐体の折り畳みの開閉に伴って、前記第２表示部をスライドさせて、かつ、前記第１筐体と前記第２筐体との折り畳みを開いていく際に、前記第１表示部の一端部と前記第２表示部の一端部とが当接するまで前記第２表示部をスライドさせる自動スライド手段（例えば、図１０の自動スライド機構１４００）とを備え、前記自動スライド手段は、折畳の開閉に伴う前記ヒンジ部における回転を取り出す第１歯車群（例えば図１１の第１歯車１４０１、第２歯車１４０２、第３歯車１４０３、シャフト部１４０６）と、当該第１歯車群と噛合し前記第１歯車群より伝達された回転を前記スライド部の平行移動に転換する第２歯車群（例えば、図１１の第４歯車１４０４、第５歯車１４０５）とを有し、前記第１歯車群の第１歯車（例えば図１１の第１歯車１４０１）は、歯先が並ぶ有歯部（例えば図１１の有歯部１４０１ａ）と、有歯部の歯底円以下の直径からなり歯先がない無歯部（例えば図１１の無歯部１４０１ｂ）とを備え、前記ヒンジ部と同軸上に、前記有歯部が外側に向くように前記第１筐体と一体に設けられていて、
前記第１歯車群の第２歯車（例えば図１１の第２歯車１４０２）は、前記第１歯車の有歯部と噛み合うように、前記第２筐体に回転自在に保持されていて、折り畳みの展開途中から展開が終了するまで第１歯車との噛み合いが成立するように構成されていることを特徴とする。
【０００８】
請求項１に記載の発明によれば、開閉自在に折畳式に接続された第１筐体と第２筐体に、それぞれ第１表示部と第２表示部が設けられ、両表示部はそれぞれ一端部を開放端となるように筐体に保持されている。開放端とは、筐体によって当該端部が支持・保護されず、外部から当該端部に触れられる状態にある意味である。
【０００９】
更に、第２表示部は第２筐体にスライド自在に支持されており、折畳を開いた状態の時、第２表示部を第１表示部方向にスライドさせ、前記第１表示部と第２表示部の開放端を当接させることができる。
即ち、従来複数の表示部の間に存在していた筐体のフレームやヒンジ部が無く、表示部がより近接して配置されることになる。従って、表示画面の一体感を高め、例えば、表示サイズの大きな画像データを第１表示部と第２表示部を二つで一つの画面として表示する場合でも、より違和感の少ない表示が可能となる。
【００１９】
そして、第２表示部をヒンジ部で回転させるように折り畳みを開閉すると、それに伴って自動的に第２表示部がスライドする。従って、ユーザは手動で第２表示部をスライドさせる必要は無く、単に折り畳みを開閉するだけで良い分、使い勝手が向上する。
【００２０】
【発明の実施の形態】
〔第１の実施の形態〕
以下、図１〜図５を参照して、本発明の第１の実施の形態について詳細に説明する。尚、本実施の形態では、本発明を携帯電話機に適用した場合を例に説明するが、本発明の適用がこれに限定されるものではない。例えば、ＰＨＳ、ＰＤＡ、サブノートパソコン、携帯型ゲーム装置などの他の装置にも適用可能である。
【００２１】
図１と図２は携帯電話機１０００の外観の一例を示す図であり、図１(ａ)は携帯電話機１０００の折畳を閉じた状態の正面図、（ｂ）は同側面図、を示している。図２は折畳を開けた状態の正面図を示している。
【００２２】
図１及び図２に示すように、携帯電話機１０００は、第１筐体１１００と、第２筐体１２００と、両筐体を軸回転自在に接続するヒンジ部１３００と、を備える。
【００２３】
[第１筐体の構成の説明]
第１筐体１１００は、ダイヤル番号等の入力をする操作入力キー１１０２と、通話の開始／終了を入力する通話ボタン１１０４及び切ボタン１１０６と、入力したダイヤル番号や操作メニュー、送受信状況などの各種情報を表示する第１ＬＣＤパネル１１５０と、電話機としての送受話部を構成するスピーカ１１０８とマイク１１１０と、を備える。
【００２４】
また、第１筐体１１００の上部には、伸縮自在な無線通信用のアンテナ１１１２が設けられており、電話をかける時にはアンテナ１１１２を第１筐体１１００より引き出すようになっている。また、図示されていないが、第１筐体１１００の後部には充電パックなどの電源部、が備えられている。
【００２５】
これらの構成要素は、図示されない電気回路によって第１筐体１１００の内部に収納される制御ユニット１１１４に接続され統合的に制御されている。そして、携帯電話機１０００は、基地局との間で無線通信し携帯電話の端末として機能する。
【００２６】
本実施の形態では特に、第１ＬＣＤパネル１１５０は、従来のように表示面の全外周を第１筐体１１００によって固定・カバーされるのではなく、側端面Ａに外部から接触可能できるように開放状態で保持されている。
【００２７】
図３は、(ａ)本実施の形態で使用されるＬＣＤパネルの外観の一例と（ｂ）該パネルを使用した場合の携帯電話機の外観の一例とを示す図である。
本実施の形態では、例えば図３(ａ)に示すように、第１ＬＣＤパネル１１５０の側端面Ａには、ＬＣＤ素子１１５２を筐体に固定するためのシールドケース部１１５４が設けられず、ＬＣＤ素子１１５２の端面が露出した構造となっている。シールドケース部１１５４が無く、且つ第１筐体１１００に側端面Ａに対して側端面Ａに外部から接触可能できるように開放状態で保持されることによって、図３(ｂ)に示すように、第１ＬＣＤパネル１１５０の側端面Ａの際まで画像（同図では、イヌの画像）が表示されることになる。
【００２８】
また、図２(ａ)に示すように、第１ＬＣＤパネル１１５０が組み込まれた第１筐体１１００において、第１ＬＣＤパネル１１５０の上下側端面の側端面Ａ側には、ガイド部１１１６が設けられている。ガイド部１１１６は、第１ＬＣＤパネル１１５０の表示面より段差が設けられている。そして、後述するように該段差に嵌合するようにして第２ＬＣＤパネル１２５０がスライドし、第１ＬＣＤパネル１１５０に当接される。
【００２９】
[第２筐体の説明]
図１及び図２において、第２筐体１２００は、第２ＬＣＤパネル１２５０と、第２ＬＣＤパネル１２５０を該ヒンジ部１３００の方向にスライド自在に保持するスライドベース部１２１０と、を備える。
【００３０】
第２筐体１２００は、ヒンジ部１３００によって、第１筐体１１００と軸回転自在に接続されて折畳自在な構成となっている。そして、第１筐体１１００と第２筐体１２００とは、折畳を開くと第１ＬＣＤパネル１１５０の表示面と第２ＬＣＤパネル１２５０の表示面とが略同一平面上に位置するように接続される。即ち、第２筐体１２００は、第１筐体１１００に対して、略１８０°開かれ表示面が略同一の面となる。
【００３１】
図４は、第２ＬＣＤパネル１２５０の拡大図である。
図４（ａ）に示すように、第２ＬＣＤパネル１２５０は、ＬＣＤ素子１２５２の側面外周を囲むように保持する外縁部１２５４と、スライドベース部１２１０との間でスライドするスライドガイド部１２５６と、を備える。
【００３２】
第２ＬＣＤパネル１２５０は、前述の第１ＬＣＤパネル１１５０と同様に、ＬＣＤ素子１２５２の側端面Ｂが露出した構造となっている。即ち、外縁部１２５４は、ＬＣＤ素子１２５２の側端面Ｂを外部より接触可能に開放した状態となるように保持している。
【００３３】
スライドガイド部１２５６は、第２ＬＣＤパネル１２５０の側面及び／又は裏面の適当な位置に、スライドベース部１２１０との間で表示面方向にスライドさせるためのガイドとなる凹部または凸部を構成する。スライドガイド部１２５６の位置や大きさは、スライドベース部１２１０のそれと対応付けられている。
【００３４】
また、外縁部１２５４は、延出部１２５５と、スライド操作部１２５７と、折畳位置ストッパ１２５８と、展開位置ストッパ１２５９と、を備える。
【００３５】
延出部１２５５は、外縁部１２５４の側端面Ｂ側の両端部より外向き方向に延出し、前記ガイド部１１１６に嵌合する形状で設けられている。延出長さは、例えば、延出部１２５５の端部とガイド部１１１６との突き当たりと、側端面ＡとＢとの当接とが一致するように設定されている。
【００３６】
スライド操作部１２５７は、第２ＬＣＤパネル１２５０の表示面側の表面にスライド操作時の指の引っかかりとなる凹凸パターンであって、ユーザによるスライド操作を容易にする。
【００３７】
折畳位置ストッパ１２５８と展開位置ストッパ１２５９は、スライドベース部１２１０に設けられる付勢部材１２１２と嵌合する溝部であって、第２ＬＣＤパネル１２５０のスライド方向の位置を固定するロック機構の役割を果たす。
例えば図４（ｂ）に示すように、付勢部材１２１２が、スライドベース部１２１０より第２ＬＣＤパネル１２５０方向に付勢し突出する。第２筐体１２００の折畳時には、付勢部材１２１２の突出部分１２１２ａが折畳位置ストッパ１２５８に嵌って位置が固定され、折畳を展開する時には展開位置ストッパ１２５９に突出部分１２１２ａが嵌って位置が固定される。
【００３８】、
また、第２ＬＣＤパネル１２５０には、フレキシブルプリント回路（ＦＰＣ）１２５１が設けられ、ヒンジ部１３００を介して制御ユニット１１１４に接続されている。
【００３９】
[機能ブロックの説明]
次に、図５を参照して、本実施形態における機能ブロックについて説明する。図５は、本実施の形態における機能ブロックの構成の一例を示す図である。
【００４０】
同図に示すように、携帯電話機１０００は、基本的には従来の携帯電話機と同様の機能ブロックを有する。例えば、送受話変換系としては、受話部１２と、送信部１４と、アンプ１５と、信号処理部１６と、無線機部２２と、アンテナ部２４と、を備える。図１の例では、受話部１２はスピーカ１１０８に、送信部１４はマイク１１１０にそれぞれ該当する。
【００４１】
また操作入力系としては、操作入力部３０と、表示部７０と、表示制御部７２と、が備えられている。そして、これらの機能要素は、携帯電話機１０００を統合的に制御する制御部５０と、制御に必要なプログラムや各種情報（例えば、電話番号や通信を介して得られたコンテンツ等）を記憶するメモリ４０とが、データバス８０によって接続されている。
【００４２】
携帯電話網の基地局との無線通信は、アンテナ部２４と無線機部２２によって実現される。アンテナ部２４（図１のアンテナ１１１２に該当）は、基地局との間で無線電波を放射／受信する。無線機部２２では、無線通信に必要な、例えばベースバンド信号を携帯電話網の規格に適合するように変調／復調処理する。
【００４３】
無線機部２２に入出力されるベースバンド信号は、信号処理部１６で時間伸張処理されてアンプ１５を介して受話部１２から出力される。反対に送信部１４より入力された信号はアンプ１５を介して信号処理部１６で例えば時間圧縮されて無線機部２２に送られる。
【００４４】
操作入力部３０は、例えば、電話番号や電子メールのアドレス、各種操作などの入力をするものであって、例えば、ダイヤルボタン、十字キー、ジョグダイヤルおよびそれらの制御回路等によって実現される。図１では操作入力キー１１０２、通話ボタン１１０４、切ボタン１１０６が該当する。
【００４５】
制御部５０は、各機能要素の統合的な制御や携帯電話通信に必要な各種の処理を実行する。例えば、基地局への位置登録情報の送信要否の決定、信号圧縮レートの切換判定などの処理を実行する。制御部５０は、図１の例では、その他の回路等とともに制御ユニット１１１４として、第１筐体１１００に内蔵されている。
【００４６】
表示部７０は、例えば、ダイヤルする番号や受信状況、着信時の相手の電話番号、操作メニューや操作用アイコン、画像等の各種コンテンツなどを画像表示するものである。例えば、ＬＣＤ、ＥＬＤ（Electronic Luminescent Display）、ＰＤＰ（Plasma Display Panel）等の表示素子によって実現される。
表示制御部７２は、表示素子に適合したドライバ回路であって、制御部５０の指示に従って表示部７０に画像表示させる。
【００４７】
また、本実施の形態では、表示部７０が第１表示部７０１と、第２表示部７０２とを備え、またそれぞれに対応する第１表示制御部７２１と、第２表示制御部７２１とを備える。図１及び図２の例では、第１表示部７０１は第１ＬＣＤパネル１１５０、第２表示部７０２は第２ＬＣＤパネル１２５０にそれぞれ該当する。
【００４８】
尚、画像表示の仕方は、第１表示部７０１と第２表示部７０２とを一つの画面表示スペースとして、２つの表示部に渡って画像表示させても良い。また、それぞれを別個の画像表示スペースとして、異なる内容の画像をそれぞれに画像表示させても良く、制御部５０によって適宜制御されるものとする。
【００４９】
[使用方法の説明]
次に、携帯電話機１０００の使用方法について説明する。
図１(ａ)に示すように、携行時は第２筐体１２００を閉じて第１筐体１１００と略一体となるように折りたたむ。
【００５０】
使用する際は、図２（ａ）に示すように、第２筐体１２００を引き起こして折畳を開く。折畳が開かれると、第１ＬＣＤパネル１１５０と第２ＬＣＤパネル１２５０の表示面が略同一平面上になる展開姿勢となる。
【００５１】
次に、スライド操作部１２５７に指をかけて、第２ＬＣＤパネル１２５０を第１ＬＣＤパネル１１５０の方向（ヒンジ部１３００の方向）にスライドさせる。
【００５２】
第２ＬＣＤパネル１２５０は、スライドガイド部１２５６に沿ってスライドし、延出部１２５５が第１筐体１１００のガイド部１１１６に嵌り、展開姿勢を保持するように作用する。
【００５３】
延出部１２５５がガイド部１１１６に突き当たるまで、更にスライドを進めると、第１ＬＣＤパネル１１５０の側端面Ａに第２ＬＣＤパネル１２５０の側端面Ｂが当接する。即ち、第１ＬＣＤパネル１１５０と第２ＬＣＤパネル１２５０とは、ＬＣＤ素子１１５２、１２５２の端面同士が当接することになり、その間には従来のように筐体のフレームやヒンジ部１３００は挟まれず、より一体感のある表示画面を形成することができる。
【００５４】
また、第１ＬＣＤパネル１１５０の側端面Ａに第２ＬＣＤパネル１２５０の側端面Ｂを当接すると、展開位置ストッパ１２５９に付勢部材１２１２が嵌り、スライド方向の位置ズレを規制する。
【００５５】
そうして、一体感のある表示画面を形成されたならば、制御部５０は、第１表示制御部７２１と第２表示制御部７２２に、第１ＬＣＤパネル１１５０と第２ＬＣＤパネル１２５０を一体の表示画面として画像を表示させる。
【００５６】
使用が終了したならば、スライド操作部１２５７に指をかけて、第２ＬＣＤパネル１２５０を、第１ＬＣＤパネル１１５０より引き離すように（図中右方向に）スライドさせる。
【００５７】
図２(ａ)の状態までスライドさせると、折畳位置ストッパ１２５８に付勢部材１２１２が嵌ってスライド方向の位置決めをして第２ＬＣＤパネル１２５０を固定する。そして、第２筐体１２００を折りたたむ。
【００５８】
以上、本発明を適用した第１の実施の形態について説明したが、本発明の適用がこれらに限定されるものではない。
【００５９】
例えば、第２筐体１２００を携帯電話機の短辺方向（図中左右方向）に折りたたむ構成としたが、例えば図６に示すように、長辺方向（図中上下方向）に折りたたむ構成としても構わない。この場合、スピーカ１１０８は第２筐体１２００に設けられる構成とする。
【００６０】
また、例えば、第２筐体１２００を携帯電話機の短辺方向（図中左右方向）の一方向のみに設けているが、第１筐体１１００の短辺方向左右両方にそれぞれ第２筐体１２００を設け、合計３つの筐体、３つのＬＣＤパネルを備える構成としても良い。この場合は、第１ＬＣＤパネル１１５０は、短辺方向の両端面を側端面Ａと同様の構造とする必要がある。そして、折畳を展開した後、左右からそれぞれのＬＣＤパネルを中央の第１ＬＣＤパネル１１５０に向けてスライドさせて、一体の表示画面を形成する。
【００６１】
また、折畳のロック機構として作用する、付勢部材１２１２、折畳位置ストッパ１２５８、展開位置ストッパ１２５９、延出部１２５５、ガイド部１１１６は、設置位置、数、構成などは適宜設定して構わない。更には、折畳の開閉と連動して、第２ＬＣＤパネル１２５０をスライドさせる機構を適宜追加しても構わない。
【００６２】
〔第２の実施の形態〕
以下、図７〜図８を参照して、本発明の第２の実施の形態について説明する。本実施の形態では、本発明をＰＤＡに適用した場合を例に説明する。尚、本実施の形態において、第１の実施の形態と同様の構成にあたるものには同じ符号を付して説明は省略するものとする。
【００６３】
図７は、本発明を適用したＰＤＡの外観の一例を示す図である。
ＰＤＡ２０００は、第１筐体１１００と、第２筐体１２００と、ヒンジ部１３００と、制御ユニット１１１４と、を備える。本実施の形態では、更に、第２筐体１２００にも操作入力キー１１０３が設けられている。
【００６４】
操作入力キー１１０３の電気的接続は、第１の実施の形態と同様にフレキシブルプリント回路１２５１によって、制御ユニット１１１４に接続されるとしても良いし、ノートパソコン等に見られるようにヒンジ部１３００によって電気的接続が保たれる構成であってもよい。尚、操作入力キー１１０２及び１１０３のレイアウトは適宜設定して構わない。
【００６５】
図８は、本実施の形態における機能ブロックの構成の一例を示す図である。
同図に示すように、基本的には従来の携帯情報端末装置と同様の構成によって実現される。即ち、ＰＤＡ２０００は、処理部２１０と、操作入力部２２０と、表示部２３０と、表示制御部２４０と、記憶部２５０と、通信部２６０と、バス２８０と、を有する。
【００６６】
処理部２１０は、各種演算処理を実行して各機能ブロックを統合的に制御する。例えば、ＣＰＵ（Central Processing Unit）等のハードウェアによって実現される。
【００６７】
操作入力部２２０は、ユーザの操作を入力するものであって、例えば、ボタンキー、ジョグダイヤル、マウス、キーボード、トラックパッド、タッチパネルなどによって実現される。図７の例では、操作入力キー１１０２、１１０３に該当する。
【００６８】
表示部２３０は、画像表示するものであって、例えば、ＬＣＤ、ＥＬＤ、ＰＤＰなどによって実現される。尚、本実施の形態では、第１の実施の形態と同様に、第１表示部２３１と第２表示部２３２とを備える。
【００６９】
表示制御部２４０は、表示部２３０の画像表示を制御する。例えば、ＤＳＰ、ＡＳＩＣ、ＬＳＩ、各種ＩＣメモリなどによって実現される。尚、本実施の形態では、表示制御部２４０には、第１表示部２３１、第２表示部２３２にそれぞれ対応する第１表示制御部２４１、第２表示制御部２４２とを備える
【００７０】
記憶部２５０は、処理部２１０に各種処理を実現させるためのプログラムおよびデータ等を記憶する。例えば、ＲＯＭ、ＲＡＭ、ハードディスク、カード型メモリなどによって実現される。
【００７１】
通信部２６０は、通信回線に接続して外部の装置とデータ送受信可能とする。例えば、モデム、ＤＳＵ（Digital Signal Unit）、無線通信機内蔵カードなどによって実現される。
【００７２】
ユーザは、携行時はヒンジ部１３００で折りたたんで小型化して持ち運び、使用時には折畳を展開して、第２ＬＣＤパネル１２５０をスライドさせて第１ＬＣＤパネル１１５０に当接させ、図７に示すように一体的な表示画面を形成して使用する。
【００７３】
以上、第２の実施の形態について説明したが、これに限定されるものではなく、例えば、操作入力キー１１０３を第２筐体１２００にも設ける構成としたが、図９に示すように、第１筐体１１００、第２筐体１２００に別途ヒンジ部１３０２、１３０４を設け、操作入力キー１１０２、１１０３をそれぞれ備えた第３筐体２１００、第４筐体２２００を設け、第1筐体１１００と第２筐体１２００に対して角度調節自在にしても良い。
【００７４】
〔第３の実施の形態〕
以下、図１０〜図１２を参照して、本発明における第３の実施の形態について説明する。本実施の形態では、折り畳みの開閉に伴って自動的に第２ＬＣＤパネルをスライドさせる自動スライド機構を備えた携帯電話機について説明する。尚、本実施の形態において、第１の実施の形態と同様の構成にあたるものには同じ符号を付して説明は省略するものとする。
【００７５】
[構成の説明]
図１０は、本実施の形態における構成の一例を示す正面透視図である。図１１は、自動スライド機構の構成の一例を示す折り畳みの展開状態の断面図である。
【００７６】
図１０に示すように、自動スライド機構１４００は、第１歯車１４０１と、第２歯車１４０２と、第３歯車１４０３と、第４歯車１４０４と、第５歯車１４０５と、シャフト部１４０６と、を備える。
【００７７】
第１歯車１４０１は、図１１（ａ）に示すように、例えば平歯車や斜歯歯車などであって、第２歯車１４０２と噛み合う。第１歯車１４０１は、歯先が並ぶ有歯部１４０１ａと、有歯部１４０１ａの歯底円以下の直径からなり歯先が無い無歯部１４０１ｂと、を備える。そして、ヒンジ部１３００と同軸上に、有歯部１４０１ａが外側に向くように、第１筐体１１００と一体に設けられている。
【００７８】
第２歯車１４０２は、第１歯車１４０１の有歯部１４０１ａと噛み合うよう設定された、例えば、平歯車や斜歯歯車である。そして、第１歯車部１４０１と略平行な軸で、第２筐体１２００のスライドベース部１２１０に回転自在に保持されている。
【００７９】
第３歯車１４０３は、第２歯車１４０２と噛み合うよう設定された、例えば、平歯車や斜歯歯車である。そして、第１歯車部１４０１と略平行な軸で第２筐体１２００のスライドベース部１２１０に回転自在に保持されている。また、第３歯車１４０３の同軸上にはシャフト部１４０６が設けられている。
【００８０】
シャフト部１４０６は、一端を第３歯車１４０３と、他端を第４歯車１４０４と結合された軸材であって、第２筐体１２００のスライドベース部１２１０に第１歯車部１４０１と略平行な軸で回転自在に保持されている。
【００８１】
第４歯車１４０４は、第２ＬＣＤパネル１２５０の裏面に設けられた第５歯車１４０５と噛み合うように配置されている。従って、シャフト部１４０６と第３歯車１４０３と第４歯車１４０４とは一体となって回転する。
【００８２】
第５歯車１４０５は、図１１（ｂ）に示すように、第４歯車１４０４と噛み合うラックであって、第２ＬＣＤパネル１２５０の裏面にスライド方向に沿って設けられている。
【００８３】
これら歯車群の諸元と位置関係は、折り畳みの開閉時に第２ＬＣＤパネル１２５０の側端面Ｂ部分がヒンジ部１３００に衝突して開閉を妨げず、且つ、展開時には第１ＬＣＤパネル１１５０の側端面Ａと第２ＬＣＤパネル１２５０の側端面Ｂとが当接するように決定される。
そのため、例えば図１１（ａ）に示すように、第１歯車１４０１は有歯部１４０１ａが外側に向くように第１筐体１１００と一体に設けられ、折り畳みの展開途中から展開が終了するまで第２歯車１４０２と噛み合いが成立するように構成されている。
【００８４】
尚、図１０は透視図のため各部を実線表示しているが、外見上目立たぬように、各々ヒンジ部１３００及び第２筐体１２００に内蔵される構成とする。
【００８５】
[動作の説明]
次に、本実施の形態の動作を説明する。図１２は本実施の形態の動作を説明する概略断面図である。
【００８６】
図１２（ａ）に示すように、折り畳みが閉じた状態では、第２ＬＣＤパネル１２５０はヒンジ部１３００より離れた位置に有る。第２歯車１４０２は、第１歯車１４０１の無歯部１４０１ｂにあり、第１歯車１４０１とは噛み合わない。
【００８７】
折り畳みを開いて行くと、図１２（ｂ）の状態になる。同図の状態になると、第２歯車１４０２は第１歯車１４０１の有歯部１４０１ａと噛み合い、以降、折り畳みを開く動作に伴って矢印Ｆ２方向に回転する。
【００８８】
第２歯車１４０２と噛み合う第３歯車１４０３、及び第３歯車１４０３と一体のシャフト部１４０６と第４歯車１４０４は矢印Ｆ３方向に回転し、第５歯車１４０５を有する第２ＬＣＤパネル１２５０を矢印Ｆ５方向に移動させる。
【００８９】
更に折り畳みを開いて行くと、第２ＬＣＤパネル１２５０は矢印Ｆ５方向に移動を続け、最終的に図１２（ｃ）に示すように、第１ＬＣＤパネル１１５０の側端面Ａと第２ＬＣＤパネル１２５０の側端面Ｂが当接する。
折り畳みを閉じる場合は、以上の逆順に従って第２ＬＣＤパネル１２５０が第１ＬＣＤパネル１１５０より離れ、第２筐体１２００が折りたたまれる。
【００９０】
以上によって、第１筐体１１００と第２筐体１２００の折り畳みを開閉すると自動的に第２ＬＣＤパネル１２５０をスライド移動させることができる。
【００９１】
尚、付勢部材１２１２と折畳位置ストッパ１２５８、及び展開位置ストッパ１２５９からなるロック機構（図４（ｂ）参照）の保持力は、第２ＬＣＤパネル１２５０が不必要に移動するのを止める程度の力であり、ユーザの力による第２筐体１２００の開閉時における第２ＬＣＤパネル１２５０のスライドを妨げるものではないのは勿論である。
【００９２】
また、第３の実施の形態では、歯車群（第１歯車１４０１〜第５歯車１４０５）を一セット有する場合として説明したが、複数設けても構わない。歯車種類及び組み合わせも適宜選択しても良い。
【００９３】
以上、本発明における第１〜第３の実施の形態について説明したが、本発明の適用がこれらに限定されるものではなく、本発明の趣旨を逸脱しない限りにおいて、適宜要素の追加や変更、設計変更等をして構わないのは勿論である。
【００９４】
【発明の効果】
請求項１に記載の発明によれば、開閉自在な折畳式の第１筐体と第２筐体に、それぞれ第１表示部と第２表示部が設けられ、両表示部はそれぞれ一端部を開放端となるように筐体に保持されている。更に、第２表示部は第２筐体にスライド自在に支持されており、折畳を開いた状態の時、第２表示部を第１表示部方向にスライドさせ、前記第１表示部と第２表示部の開放端を当接させることができる。従って、第１表示部と第２表示部とを近接して配置され、より表示画面の一体感を高めることが可能となる。
【００９８】
そして、折り畳みの開閉に伴って、自動的に第２表示部がスライドする。従って、ユーザは単に折り畳みを開閉するだけでよく、使い勝手が向上する。
【図面の簡単な説明】
【図１】本発明を適用した携帯電話機の外観の一例を示す図であって、(ａ)正面図、（ｂ）同側面図。
【図２】本発明を適用した携帯電話機の外観の一例を示す図であって、(ａ)折畳を開けた直後の状態の正面図、（ｂ）使用時の状態の正面図。
【図３】第１の実施の形態における、ＬＣＤパネルの構造の一例を示す図。
【図４】第１の実施の形態における、第２ＬＣＤパネル部分の拡大図。
【図５】第１の実施の形態における、機能ブロック図。
【図６】第１の実施の形態における、変形例の外観を示す図。
【図７】本発明を適用したＰＤＡの外観の一例を示す図。
【図８】第２の実施の形態における、機能ブロック図。
【図９】第２の実施の形態における、変形例の外観を示す図。
【図１０】第３の実施の形態における構成の一例を示す正面図。
【図１１】第３の実施の形態における、自動スライド機構の構成の一例を示す断面図。
【図１２】第３の実施の形態における、第１筐体と第２筐体の折畳の開閉動作を説明する概略断面図。(ａ)折畳を閉じた状態、（ｂ）折畳の開閉途中の状態、（ｃ）折畳が開いた状態、をそれぞれ示す。
【符号の説明】
１２  受話部
１４  送信部
１６  信号処理部
２２  無線機部
２４  アンテナ部
５０  制御部
７０  表示部
７２  表示制御部
１０００  携帯電話機
１１００  第１筐体
１１１６  ガイド部
１１５０  第１ＬＣＤパネル
１１５２  ＬＣＤ素子
１１５４  シールドケース部
１２００  第２筐体
１２１０  スライドベース部
１２１２  付勢部材
１２５０  第２ＬＣＤパネル
１２５２  ＬＣＤ素子
１２５５  延出部
１２５６  スライドガイド部
１２５８  折畳位置ストッパ
１２５９  展開位置ストッパ
１３００  ヒンジ部
１４００  自動スライド機構
２０００  ＰＤＡ
２１００  第３筐体
２２００  第４筐体
Ａ  側端面
Ｂ  側端面
【図１】
0003828448.tif 000002
【図２】
0003828448.tif 000003
【図３】
0003828448.tif 000004
【図４】
0003828448.tif 000005
【図５】
0003828448.tif 000006
【図６】
0003828448.tif 000007
【図７】
0003828448.tif 000008
【図８】
0003828448.tif 000009
【図９】
0003828448.tif 000010
【図１０】
0003828448.tif 000011
【図１１】
0003828448.tif 000012
【図１２】
0003828448.tif 000013